(57)【要約】      （修正有）【課題】注射容器のシリンジ内を密封的に摺動可能なシール部材が注入ガス圧力により外部へ飛び出すことを簡単かつ確実に防止できる、シール部材の飛び出し防止具を提供する。【解決手段】飛び出し防止具は、シリンジ１１に同軸に装着可能なシリンジホルダ部２２と、シリンジに同軸に装着可能であり、シリンジのフィンガーフランジ１１ｃを挟んでシリンジホルダ部に固着可能なキャップ部２３とを備え、キャップ部は、シール部材１３に当接しシール部材の軸方向の移動を阻止する当接部２３ｃを備える。【選択図】図４
0003224325.tif 000002
【実用新案登録請求の範囲】
【請求項１】
注射容器のシリンジ内を密封的に摺動可能なシール部材が前記シリンジから外部へ飛び出すことを防止するための飛び出し防止具であって、前記シリンジに同軸に装着可能なシリンジホルダ部と、前記シリンジに同軸に装着可能であり、前記シリンジのフィンガーフランジを挟んで前記シリンジホルダ部に固着可能なキャップ部とを備えており、前記キャップ部は、前記シール部材に当接し該シール部材の軸方向の移動を阻止する当接部を備えていることを特徴とするシール部材の飛び出し防止具。
【請求項２】
前記キャップ部は、前記シリンジホルダ部に螺合して固着するように構成されていることを特徴とする請求項１に記載のシール部材の飛び出し防止具。
【請求項３】
前記キャップ部は、前記シール部材を押し戻すための棒部材が挿通可能な軸方向の貫通孔を同軸に備えていることを特徴とする請求項１又は２に記載のシール部材の飛び出し防止具。
【請求項４】
前記キャップ部は、空気抜き用の軸方向の貫通孔を備えていることを特徴とする請求項１又は２に記載のシール部材の飛び出し防止具。
【請求項５】
前記キャップ部は、空気抜き用の貫通溝を備えていることを特徴とする請求項１又は２に記載のシール部材の飛び出し防止具。
【考案の詳細な説明】
【技術分野】
【０００１】
本考案は、注射器状の容器内に収容された医療用液体内に例えば水素ガス等のガスを溶解させる場合に用いるシール部材の飛び出し防止具に関する。
【背景技術】
【０００２】
本出願人は、ペットボトル等の液体容器内に収容されている飲料水に水素ガスを添加する水素添加システムを既に提案している（特許文献１及び２参照）。
【０００３】
特許文献１に記載の水素添加システムは、水素添加サーバの開閉手段と、液体容器の開閉手段とを互いに着脱可能に接続して構成され、水素添加サーバの圧力調整バルブでガス圧を調整し、液体容器内の圧力を高めて、所望濃度で液体容器内の液体に水素ガスを添加するように構成されている。ここで、水素添加サーバは、水素吸蔵合金を収容した水素吸蔵合金容器と、当該水素吸蔵合金容器を所定温度に加温する保温器と、流路の開閉を切り替える切り替えバルブと、外部の水素ガス供給路に接続されたとき開通し、当該接続が断たれたとき閉じる開閉手段と、水素吸蔵合金容器から切り替えバルブに至る第１流路と、切り替えバルブから開閉手段に至る第２流路と、第１流路に設けた圧力調整バルブとを備えている。液体容器は、容器本体に着脱可能なキャップを備えた液体容器であって、このキャップは、外部の水素ガス供給路に接続されたとき開通し、当該接続が断たれたとき閉じる開閉手段を備えている。
【０００４】
また、特許文献２に記載の水素添加システムは、水から圧力制御下で水素ガスを取り出す水素ガス発生装置と、当該水素ガス発生装置で発生した水素ガスを外部に供給する水素ガス供給路と、当該水素ガス供給路に接続されたとき開通し、当該接続が断たれたとき閉じる開閉手段によって当該水素ガス供給路に着脱可能に連通されているとともに、内部に液体を収容可能な液体容器とを備え、この水素ガス発生装置は、水素ガスのガス圧を可変に制御できるように構成されている。
【０００５】
しかしながら、特許文献１及び２に記載された水素添加システムは、いずれも、ペットボトル等の容器に収容された飲料水に水素ガスを添加するものであり、注射容器内に収容された液体に水素ガスを溶解させるものではない。また、特許文献１及び２に記載された水素添加システムにおいて、水素を溶解させる液体は飲料水である。
【先行技術文献】
【特許文献】
【０００６】
【特許文献１】特許第５７１００３９号公報
【特許文献２】特許第５７１００５０号公報
【考案の概要】
【考案が解決しようとする課題】
【０００７】
医療用液体を収容する容器として、注射容器が存在する。この注射容器は、シリンジ内を密封的に摺動可能なパッキン（シール部材）によって一端部が密閉されており、パッキンを押圧して摺動させることにより、他端部の開口から医療用液体が排出されるように構成されている。
【０００８】
このような注射容器内に他端部の開口を介して水素ガス等のガスを注入する場合、注入するガスの圧力の作用でパッキンが一端部方向に移動し、シリンジ外部へ外れてしまうおそれが多分にあった。このため、従来技術では、注射容器内に充分な圧力でガスを充填し、内部に収容されている医療用液体に充分な濃度となるまでガスを溶解させることが不可能であった。
【０００９】
従って本考案の目的は、注射容器のシリンジ内を密封的に摺動可能なシール部材が注入ガス圧力により外部へ飛び出すことを簡単かつ確実に防止できる、シール部材の飛び出し防止具を提供することにある。
【課題を解決するための手段】
【００１０】
本考案によれば、注射容器のシリンジ内を密封的に摺動可能なシール部材がシリンジから外部へ飛び出すことを防止するための飛び出し防止具が提供される。この飛び出し防止具は、シリンジに同軸に装着可能なシリンジホルダ部と、シリンジに同軸に装着可能であり、シリンジのフィンガーフランジを挟んでシリンジホルダ部に固着可能なキャップ部とを備えており、キャップ部は、シール部材に当接しこのシール部材の軸方向の移動を阻止する当接部を備えている。
【００１１】
飛び出し防止具は、シリンジホルダ部及びキャップ部を備えている。これらは共にシリンジに同軸に装着可能である。キャップ部は、シリンジのフィンガーフランジを挟んでシリンジホルダ部に固着可能であり、シール部材に当接してこのシール部材の軸方向の移動を阻止する当接部を備えている。従って、飛び出し防止具が装着され固着された状態でシリンジ内にガスが圧入されると、シール部材は、ガス圧力でシリンジに沿って摺動するがキャップ部の当接部に押し当たってそれ以上軸方向に移動することが阻止され、外部へ飛び出すことが簡単かつ確実に防止される。
【００１２】
キャップ部は、シリンジホルダ部に螺合して固着するように構成されていることが好ましい。
【００１３】
キャップ部は、シール部材を押し戻すための棒部材が挿通可能な軸方向の貫通孔を同軸に備えていることも好ましい。
【００１４】
キャップ部は、空気抜き用の軸方向の貫通孔又は空気抜き用の貫通溝を備えていることも好ましい。
【考案の効果】
【００１５】
本考案によれば、飛び出し防止具が装着され固着された状態でシリンジ内にガスが圧入されても、シール部材は、ガス圧力でシリンジに沿って摺動するが、キャップ部の当接部に押し当たってそれ以上軸方向に移動することが阻止されるから、外部へ飛び出すことが簡単かつ確実に防止される。
【図面の簡単な説明】
【００１６】
【図１】本考案の飛び出し防止具が適用される、注射容器内の医療用液体にガスを溶解させるガス溶解装置の全体構成を概略的に示す図である。
【図２】図１の注射容器において、プランジャがシリンジ内に挿入されかつシール部材に連結された状態を示す側面図である。
【図３】図１の注射容器において、プランジャをシリンジから取り外した状態を示す側面図である。
【図４】本考案における飛び出し防止具の一実施形態の構成を示す（Ａ）側面図、（Ｂ）断面図、（Ｃ）使用状態の断面図である。
【図５】図４の実施形態における飛び出し防止具を使用する形態を示す斜視図である。
【図６】図４の実施形態における飛び出し防止具を使用する形態を示す斜視図である。
【図７】図４の実施形態における飛び出し防止具を使用する場合に用いられる棒材の構成を示す（Ａ）側面図、（Ｂ）正面図である。
【図８】本考案における飛び出し防止具の他の実施形態の構成を示す（Ａ）側面図、（Ｂ）断面図、（Ｃ）使用状態の断面図である。
【図９】本考案における飛び出し防止具のさらに他の実施形態の構成を示す（Ａ）側面図、（Ｂ）断面図、（Ｃ）使用状態の断面図である。
【考案を実施するための形態】
【００１７】
本考案の飛び出し防止具を説明する前に、この飛び出し防止具が適用されるガス溶解装置の構成について説明する。図１は本考案の飛び出し防止具が適用される、注射容器内の医療用液体にガスを溶解させるガス溶解装置の全体構成を概略的に示しており、図２は図１の注射容器において、プランジャがシリンジ内に挿入されかつシール部材に連結された状態を示しており、図３は図１の注射容器において、プランジャをシリンジから取り外した状態を示している。
【００１８】
これらの図において、１０は円筒形状のシリンジ１１とプランジャ１２とから主として構成される注射容器を示している。プランジャ１２は、注射器として使用する際にシリンジ１１内に挿入されて先端部がシール部材１３に固定されている。シール部材１３は、注射容器１０のシリンジ１１内に挿入され、このシリンジ１１に沿って密封的に摺動可能なパッキンである。シール部材１３によってシリンジ１１の一端部（後端部）１１ａが密閉されることによって、液体を収容する空間が形成される。シリンジ１１の他端部（先端部）１１ｂは開口しているが、この注射容器１０を使用しない場合の保護のために、保護キャップ１４が被着されている。シリンジ１１の一端部１１ａには、シリンジ１１の他の部分より径が大きく設定されており、プランジャ１２をシリンジ１１内に押し込む際に指を支えるフィンガーフランジ１１ｃが設けられている。シリンジ１１内の空間には、例えば造影剤、点滴液、輸血液、生理食塩水、又はその他の液体であり、水素ガスを溶解させる対象である医療用液体１５が収容されている。
【００１９】
シリンジ１１は内部の医療用液体１５が外部から見えるように透明なプラスチック材料で形成されており、プランジャ１２もプラスチック材料で形成されている。シール部材１３はゴム等の弾性材料で形成されており、その後端部（シリンジ１１の一端部１１ａ側）には、雌ネジ孔１３ａ（図４（Ｃ）、図８（Ｃ）及び図９（Ｃ）参照）が形成されている。この雌ネジ孔１３ａにプランジャ１２の先端部に設けられた雄ネジ１２ａが螺合することによって、プランジャ１２がシール部材１３に連結固定される。
【００２０】
単なる一例であるが、注射容器１０として、医療用液体１５としてＣＴ造影剤が収容されたエーザイ株式会社製の「イオメロン３５０注シリンジ５０ｍＬ」が使用される。しかしながら、他の造影剤、点滴液、輸血液、生理食塩水、又はその他の液体である医療用液体１５を収容した注射容器を使用しても良いことはもちろんである。
【００２１】
図１に示すように、シリンジ１１の、保護キャップ１４を外した他端部１１ｂには、注射器用の除菌フィルタであるフィルタ１６の一端が例えば螺合によって接続される。このフィルタ１６としては、例えばアドバンテック東洋株式会社製のシリンジフィルタＤＩＳＭＩＣ  ２５ＡＳ０４５ＡＮが使用可能である。このような除菌フィルタ１６を用いて流路を無菌処理して使用すれば、シリンジ１１内の医療用液体１５は無菌状態が完全に維持した状態で水素ガスを溶解させることができる。
【００２２】
フィルタ１６の他端には、プラスチック製（例えばアクリル樹脂製）のチューブ１７の一端が図示しないフィッティングを介して接続されている。チューブ１７としては、例えば、グンゼＰＴＡチューブ（ＮＳＰ−６×４）が使用可能である。チューブ１７の他端にはワンタッチカプラ１８のプラグ１８ａが連結されている。ワンタッチカプラ１８は、チューブ１７の一端と圧力計付連結管１９の一端とをワンタッチで接続及び接続解除（切り離し）するものであり、プラグ１８ａとソケット１８ｂとから構成されている。圧力計付連結管１９としては、例えば、ＳＵＳ製１／８チーズの中央部の垂直端に圧力計１９ａを連結し、一端にワンタッチカプラ１８のソケット１８ｂを１／８雄ネジで接続し、他端に水素ガス供給源をＳＵＳ製ニップルで接続したものが使用可能である。ワンタッチカプラ１８は、プラグ１８ａをソケット１８ｂに差し込むことで接続され、ソケット１８ｂのプッシュボタンを押すことで接続解除される。この例では、ワンタッチカプラ１８は、プラグ１８ａ及びソケット１８ｂ共に内部に弁（バルブ）をそれぞれ持つ構造となっている。このため、プラグ１８ａをソケット１８ｂに接続した際は内部を流体が両方向に流通可能となるが、プラグ１８ａとソケット１８ｂとを接続解除した際はプラグ１８ａもソケット１８ｂも閉止され流体の流通が阻止されるように構成されている。この例では、ワンタッチカプラ１８として、市販の一般的なプラスチック製の流体継手である、例えば日東工器株式会社のキューブカプラ（登録商標）を使用している。
【００２３】
図１に示すように、圧力計付連結管１９の他端は水素ガス供給源の一例である水素吸蔵合金キャニスタ２０に接続される。水素吸蔵合金キャニスタ２０は、発熱反応及び吸熱反応により常温、低圧下で可逆的に水素の吸放出が可能な水素吸蔵合金を内部に収容したボンベ状の容器であり、一般に市販されている（例えばワイエムシイ株式会社製）。この水素吸蔵合金キャニスタ２０は、内部圧力を０〜０．９９ＭＰａに設定することができ、１ＭＰａ以上にならないため高圧ガス保安法でいう高圧ガスには該当しない。従って、オフィスや病院内で手軽に利用することができる。また、容器のサイズも直径数ｃｍ、高さ１０ｃｍ程度まで小さく設計することが可能である。さらに、水素吸蔵合金は、水素を消耗した後でも再吸収により利用可能となるため、繰返し利用によるコストダウンというメリットがある。このように、水素吸蔵合金キャニスタ２０によれば、軽量及びコンパクトでありながら安全に高純度の水素ガスを供給可能であり、しかも繰り返し使用が可能である。
【００２４】
図１には、さらに、本考案の飛び出し防止具の一実施形態が示されている。飛び出し防止具２１は、注射容器１０のシリンジ１１内を密封的に摺動可能なシール部材１３がシリンジ１１から外部へ飛び出すことを防止するための治具である。ただし、同図においてこの飛び出し防止具２１はシリンジ１１に装着されていない状態で表されている。
【００２５】
本実施形態の飛び出し防止具２１は、共にプラスチック材料で形成されたシリンジホルダ部２２とキャップ部２３とから構成されている。シリンジホルダ部２２は、シリンジ１１に同軸に装着可能に構成されており、同軸に形成された貫通孔２２ａを備えている。この貫通孔２２ａの径は、シリンジ１１のフィンガーフランジ１１ｃの外径より小さく設定されている。シリンジホルダ部２２には、さらに、その一端部の外周壁に雄ネジ部２２ｂが形成されている。キャップ部２３は、シリンジに同軸に装着可能でありかつシリンジ１１のフィンガーフランジ１１ｃを挟んでシリンジホルダ部２２に固着可能に構成されている。キャップ部２３には、ガス抜き棒用及び空気抜き用の貫通孔２３ａが同軸に形成されており、内周壁に雌ネジ部２３ｂが形成されている。シリンジホルダ部２２の雄ネジ部２２ｂと、キャップ部２３の雌ネジ部２３ｂとが螺合することにより、キャップ部２３がシリンジホルダ部２２に固着される。このキャップ部２３には、シール部材１３に当接しこのシール部材１３の軸方向の移動を阻止する当接部２３ｃが同軸に形成されている。
【００２６】
図４はこの飛び出し防止具２１の構成及び使用状態を示している。即ち、同図（Ａ）はキャップ部２３を軸方向外側から見た状態を示しており、同図（Ｂ）はフィンガーフランジ１１ｃを間に挟まない状態で互いに螺合したシリンジホルダ部２２及びキャップ部２３を断面で示しており、同図（Ｃ）はフィンガーフランジ１１ｃを間に挟んだ状態で互いに螺合したシリンジホルダ部２２及びキャップ部２３を断面で示している。
【００２７】
同図（Ｃ）から分かるように、飛び出し防止具２１は、シリンジホルダ部２２及びキャップ部２３間にシリンジ１１のフィンガーフランジ１１ｃを挟んだ状態で、シリンジホルダ部２２及びキャップ部２３が互いに螺合することによって、シリンジ１１に装着される。これによって、水素ガス圧入時にシリンジ１１内の圧力が高くなってシール部材１３が矢印２６方向に移動しても最終的にキャップ部２３ａの当接部２３ｃに当接しそれ以上の軸方向（シリンジ１１の一端部１１ａ方向）の移動が阻止されるので、シール部材１３がシリンジ１１の一端部１１ａから外部に飛び出すことはない。
【００２８】
以下、このような飛び出し防止具２１を用いたガス溶解装置により、注射容器１０のシリンジ１１内の医療用液体１５に水素ガスを溶解させる手順について説明する。
【００２９】
初期状態においては、注射容器１０は、図２に示すように、シリンジ１１内にプランジャ１２が挿入固定されており、シリンジ１１の他端部１１ｂには保護キャップ１４が被着されている。
【００３０】
まず、図３に示すように、シリンジ１１からプランジャ１２を取り外し、さらに、保護キャップ１４を取り外す。
【００３１】
次いで、図１に示すように、シリンジ１１の他端部１１ｂにフィルタ１６の一端を螺合させ、さらに、このフィルタ１６の他端に、チューブ１７の一端をフィッティングを介して接続する。このチューブ１７の他端にはワンタッチカプラ１８のプラグ１８ａが連結されている。
【００３２】
次いで、図５に示すように、シリンジ１１に飛び出し防止具２１のシリンジホルダ部２２を装着する。この装着は、シリンジ１１をその他端部１１ｂ側からシリンジホルダ部２２の貫通孔２２ａ内に挿通させ、シリンジ１１のフィンガーフランジ１１ｃを飛び出し防止具２１のシリンジホルダ部２２の先端の内壁に当接させることによって行われる。次いで、図６に示すように、キャップ部２３をフィンガーフランジ１１ｃを挟んでシリンジホルダ部２２に当接させ、シリンジホルダ部２２の雄ネジ部２２ｂ（図４参照）とキャップ部２３の雌ネジ部２３ｂ（図４参照）とを螺合させることによりキャップ部２３をシリンジホルダ部２２に固着させる。
【００３３】
次いで、図１に示すように、ワンタッチカプラ１８のプラグ１８ａをソケット１８ｂに接続する。これにより、ワンタッチカプラ１８内の閉止弁（バルブ）が開成され、水素吸蔵合金キャニスタ２０からの水素ガスが、圧力計付連結管１９、ワンタッチカプラ１８、チューブ１７、及びフィルタ１６からなる供給路を介してシリンジ１１内に圧入される。シリンジ１１内の圧力が高くなることにより、シール部材１３がガスに押圧され、シリンジ１１の一端部（後端部）１１ａの方向に摺動するが、上述のように、シール部材１３は飛び出し防止具２１のキャップ部２３の当接部２３ｃに押し当たることにより、それ以上先には進むことがなく、従って、シール部材１３がシリンジ１１から外部に飛び出すような不都合は生じない。
【００３４】
シリンジ１１内の圧力が所定圧力となった際に、ワンタッチカプラ１８を接続解除状態とし、水素吸蔵合金キャニスタ２０を切り離す。接続解除状態としても、ワンタッチカプラ１８のソケット１８ｂ内の閉止弁（バルブ）が閉成されるため、水素吸蔵合金キャニスタ２０から水素ガスが漏れ出すことはない。また、ワンタッチカプラ１８のプラグ１８ａ内の閉止弁（バルブ）も閉成されるため、チューブ１７、及びフィルタ１６からなる供給路と、シリンジ１１との内部圧力は上述した範囲の所定圧力に維持されている。
【００３５】
その後、ワンタッチカプラ１８のプラグ１８ａに、開放用のジョイント（図示なし）を連結することにより、シリンジ１１内の不要な気体（水素ガス）を抜いて内部圧力を大気圧まで低減する。このジョイントとしては、市販の一般的なプラスチック製の流体継手である、例えば日東工器株式会社のキューブカプラ（登録商標）の閉止弁（バルブ）なしのソケットを使用可能である。
【００３６】
次いで、飛び出し防止具２１のキャップ部２３に設けられている貫通孔２３ａ（図４参照）内にガス抜き棒２５を挿入し、その先端２５ｃをシール部材１３に押し当ててこのシール部材１３をシリンジ１１内の元の方向へ摺動させる。図７はこのガス抜き棒２５の一例を示している。ガス抜き棒２５は大径の円柱状の基部２５ａとこれより小径の円柱状の棒状部２５ｂとから構成されており、棒状部２５ｂの径は、当然のことながら、キャップ部２３の貫通孔２３ａの径より小さく設定されている。このガス抜き棒２５は、プラスチック材料、金属材料又は木材で形成される。
【００３７】
その後、シリンジ１１の他端部１１ｂからフィルタ１６を取り外し、その部分に保護キャップ１４を取り付け、ガス抜き棒２５を取り外し、さらに、飛び出し防止具２１を取り外すことにより、水素ガスを溶解させた医療用液体１５が収容された注射容器１０が得られる。
【００３８】
以上説明したように、シリンジ１１の一端部１１ａにシール部材１３の飛び出し防止具２１を装着し、シリンジ１１の他端部１１ｂに接続された供給路を介して水素吸蔵合金キャニスタ２０からの水素ガスをシリンジ１１内に圧入して、水素ガスを医療用液体１５内に溶解させ、水素ガスを溶解させたシリンジ１１を外気に開放して内部の圧力を低減させ、その後、飛び出し防止具２１をシリンジ１１から取り外している。最初にシール部材１３の飛び出し防止具２１が装着されるので、注射容器１０内に収容されている医療用液体１５へ水素ガスを圧入しても、ガス圧によってシール部材１３がシリンジ１１から飛び出すことを未然に防止でき、ガスを充分な圧力までシリンジ１１内に注入し必要とする濃度まで溶解させることができる。従って、作業現場において、簡単な操作を行うのみで、素早く、注射容器１０内に収容されている医療用液体１５に所望濃度の水素ガスを溶解させることができる。
【００３９】
次に、本考案の飛び出し防止具の他の実施形態について説明する。
【００４０】
図８は本実施形態の飛び出し防止具２１′の構成及び使用状態を示している。この飛び出し防止具２１′は、シリンジホルダ部２２′とキャップ部２３′とから構成されており、キャップ部２３′にはガス抜き棒用の同軸の貫通孔が設けられてはおらず、空気抜きのための軸方向の小さな貫通孔２３ａ′が設けられている。本実施形態における他の構成及び動作は図４に示した飛び出し防止具２１の場合と同様である。本実施形態の飛び出し防止具２１′を用いた場合のシール部材１３のシリンジ１１内の元の方向への摺動は、この飛び出し防止具２１′を取り外した後に、プランジャ１２の先端をシール部材１３に押し当てることによって行う。
【００４１】
次に、本考案の飛び出し防止具のさらに他の実施形態について説明する。
【００４２】
図９は本実施形態の飛び出し防止具２１″の構成及び使用状態を示している。この飛び出し防止具２１″は、シリンジホルダ部２２″とキャップ部２３″とから構成されており、キャップ部２３″にはガス抜き棒用の同軸の貫通孔が設けられてはおらず、空気抜きのためのキャップ部２３″の放射方向の小さな貫通溝２３ａ″が設けられている。本実施形態における他の構成及び動作は図４に示した飛び出し防止具２１の場合と同様である。本実施形態の飛び出し防止具２１″を用いた場合のシール部材１３のシリンジ１１内の元の方向への摺動は、この飛び出し防止具２１″を取り外した後に、プランジャ１２の先端をシール部材１３に押し当てることによって行う。
【００４３】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００４４】
１０  注射容器
１１  シリンジ
１１ａ  一端部
１１ｂ  他端部
１１ｃ  フィンガーフランジ
１２  プランジャ
１２ａ  雄ネジ
１３  シール部材
１３ａ  雌ネジ孔
１４  保護キャップ
１５  医療用液体
１６  フィルタ
１７  チューブ
１８  ワンタッチカプラ
１８ａ  プラグ
１８ｂ  ソケット
１９  圧力計付連結管
１９ａ  圧力計
２０  水素吸蔵合金キャニスタ
２１、２１′、２１″  飛び出し防止具
２２、２２′、２２″  シリンジホルダ部
２２ａ、２３ａ、２３ａ′  貫通孔
２２ｂ  雄ネジ部
２３、２３′、２３″  キャップ部
２３ａ″  貫通溝
２３ｂ  雌ネジ部
２３ｃ  当接部
２５  ガス抜き棒
２５ａ  基部
２５ｂ  棒状部
２５ｃ  先端
２６  矢印
【図１】
0003224325.tif 000003
【図２】
0003224325.tif 000004
【図３】
0003224325.tif 000005
【図４】
0003224325.tif 000006
【図５】
0003224325.tif 000007
【図６】
0003224325.tif 000008
【図７】
0003224325.tif 000009
【図８】
0003224325.tif 000010
【図９】
0003224325.tif 000011